(57)【要約】      （修正有）【課題】輪郭強調を軽減することのできる技術を提供する。【解決手段】スキャンＳＣでは、シーケンス部ＳＥ１〜ＳＥｍが実行される。各シーケンス部は、プリパレーションシーケンスＡとイメージングシーケンスＢとを有している。プリパレーションシーケンスＡは、拡散強調を行うための勾配パルスＭＰＧを有している。イメージングシーケンスＢは、撮影部位からＭＲ信号Ｓ１〜ＳＮを収集するためのシーケンスである。イメージングシーケンスＢはＲＦパルスＸ０およびＲＦパルスＸ１〜ＸＮを有している。ＲＦパルスＸ１〜ＸＮのフリップ角α１〜αＮは、αｎ−αｎ＋１＞αｎ＋１−αｎ＋２を満たすように設定されている。【選択図】図２
2015008903.tif 000002
【特許請求の範囲】
【請求項１】
拡散強調を行うための勾配パルスを有する第１のシーケンスを実行した後、ｋ空間に配置される磁気共鳴信号を発生させるための複数のＲＦパルスを有する第２のシーケンスを実行する磁気共鳴装置であって、
前記複数のＲＦパルスのうちの第１のＲＦパルスのフリップ角、前記第１のＲＦパルスの次に印加される第２のＲＦパルスのフリップ角、および前記第２のＲＦパルスの次に印加される第３のＲＦパルスのフリップ角は、以下の条件を満たすように設定されている、磁気共鳴装置。
αｎ−αｎ＋１＞αｎ＋１−αｎ＋２＞０
ここで、αｎ：前記第１のＲＦパルスのフリップ角
αｎ＋１：前記第２のＲＦパルスのフリップ角
αｎ＋２：前記第３のＲＦパルスのフリップ角
【請求項２】
前記第１のＲＦパルス、前記第２のＲＦパルス、および前記第３のＲＦパルスの各々のフリップ角は、前記複数のＲＦパルスのうちの最初に印加されるＲＦパルスのフリップ角と最後に印加されるＲＦパルスのフリップ角との比に基づいて設定される、請求項１に記載の磁気共鳴装置。
【請求項３】
前記比の値を設定する設定手段を有する、請求項２に記載の磁気共鳴装置。
【請求項４】
撮影部位のＴ１値を入力する入力手段を有し、
前記設定手段は、
前記入力手段により入力されたＴ１値に基づいて、前記比の値を設定する、請求項３に記載の磁気共鳴装置。
【請求項５】
前記設定手段により設定された前記比の値に基づいて、前記複数のＲＦパルスの各々のフリップ角を算出する算出手段を有する、請求項４に記載の磁気共鳴装置。
【請求項６】
前記第１のＲＦパルスのフリップ角αｎは、以下の式で求められる、請求項３〜６のうちのいずれか一項に記載の磁気共鳴装置。
【数３】
2015008903.tif 000005
【請求項７】
前記第２のシーケンスは、前記複数のＲＦパルスの前に、ＭＲ信号を定常状態に移行させるための別のＲＦパルスを有する、請求項１〜６のうちのいずれか一項に記載の磁気共鳴装置。
【発明の詳細な説明】
【技術分野】
【０００１】
本発明は、拡散強調を行うための勾配パルスを有するシーケンスを実行する磁気共鳴装置に関する。
【背景技術】
【０００２】
拡散の情報を取得する方法として、ＭＰＧ（Motion Probing Gradient）を用いた方法が知られている（特許文献１参照）。
【先行技術文献】
【特許文献】
【０００３】
【特許文献１】特開２０１２−１５７６８７号公報
【発明の概要】
【発明が解決しようとする課題】
【０００４】
ＭＰＧを用いて拡散の情報を得る方法の一例として、ＭＰＧをプリパルスとして印加したＤＰ（Diffusion Preparation）法と呼ばれる手法がある。ＤＰ法は、例えば、ＦＩＥＳＴＡ（Fast Imaging Employing SteadyState Acquisition）などのパルスシーケンスを実行する場合に適用されており、ＤＰ法により比較的容易に拡散の情報を得ることができる。
【０００５】
しかし、上記の手法では、データ収集中のＴ１回復によりＭＲ信号が大きくなった場合、撮影部位の輪郭が強調されるなどの画質が劣化が生じることがある。特に、撮影部位のＴ１値が小さいほど、輪郭が強調される現象は顕著に現れる。したがって、輪郭強調を軽減することができる技術が望まれている。
【課題を解決するための手段】
【０００６】
本発明の一観点は、拡散強調を行うための勾配パルスを有する第１のシーケンスを実行した後、ｋ空間に配置される磁気共鳴信号を発生させるための複数のＲＦパルスを有する第２のシーケンスを実行する磁気共鳴装置であって、
前記複数のＲＦパルスのうちの第１のＲＦパルスのフリップ角、前記第１のＲＦパルスの次に印加される第２のＲＦパルスのフリップ角、および前記第２のＲＦパルスの次に印加される第３のＲＦパルスのフリップ角は、以下の条件を満たすように設定されている、磁気共鳴装置である。
αｎ−αｎ＋１＞αｎ＋１−αｎ＋２＞０
ここで、αｎ：前記第１のＲＦパルスのフリップ角
αｎ＋１：前記第２のＲＦパルスのフリップ角
αｎ＋２：前記第３のＲＦパルスのフリップ角
【発明の効果】
【０００７】
αｎ−αｎ＋１＞αｎ＋１−αｎ＋２＞０を満たすようにフリップ角を設定することにより、輪郭強調を軽減することができる。
【図面の簡単な説明】
【０００８】
【図１】本発明の一形態の磁気共鳴装置の概略図である。
【図２】撮影部位からデータを収集するために実行されるスキャンＳＣの説明図である。
【図３】シーケンス部ＳＥ１〜ＳＥｍにより収集されたＭＲ信号をｋ空間に埋めるときの様子を示す図である。
【図４】ＲＦパルスｘ１〜ｘＮのフリップ角α１〜αＮの説明図である。
【図５】フリップ角α１〜αＮを同じ値αにしたときのイメージングシーケンスＢを示す図である。
【図６】フリップ角α１〜αＮを同じ値に設定した場合の問題点の説明図である。
【図７】輪郭強調を軽減できる理由の説明図である。
【図８】式（３）を満たすようにフリップ角の減少幅αｎ−αｎ＋１を設定した場合のフリップ角α１〜αＮを示す図である。
【図９】撮影部位の輪郭強調を十分に軽減することができない理由の説明図である。
【図１０】rd_factor＝１、rd_factor＝０．５、およびrd_factor＝０．１に設定した場合のフリップ角を示す図である。
【図１１】シミュレーションＥ１の結果を示す図である。
【図１２】シミュレーションＥ２の結果を示す図である。
【図１３】オペレータが最適なrd_factorを選択するのに適したＭＲ装置の一例を示す図である。
【図１４】一部のフリップ角が式（１）を満たさない場合の一例を示す図である。
【発明を実施するための形態】
【０００９】
以下、発明を実施するための形態について説明するが、本発明は、以下の形態に限定されることはない。
【００１０】
図１は、本発明の一形態の磁気共鳴装置の概略図である。
磁気共鳴装置（以下、「ＭＲ装置」と呼ぶ。ＭＲ：Magnetic Resonance）１００は、マグネット２、テーブル３、受信コイル４などを有している。
【００１１】
マグネット２は、被検体１１が収容されるボア２１を有している。また、マグネット２は、超伝導コイル、勾配コイル、およびＲＦコイルなどが内蔵されている。
【００１２】
テーブル３は、被検体１１を支持するクレードル３ａを有している。クレードル３ａは、ボア２１内に移動できるように構成されている。クレードル３ａによって、被検体１１はボア２１に搬送される。
【００１３】
受信コイル４は、被検体１１の胴部に取り付けられている。受信コイル４は、被検体１１からの磁気共鳴信号を受信する。
【００１４】
ＭＲ装置１００は、更に、送信器５、勾配磁場電源６、受信器７、制御部８、操作部９、および表示部１０などを有している。
【００１５】
送信器５はＲＦコイルに電流を供給し、勾配磁場電源６は勾配コイルに電流を供給する。受信器７は、受信コイル４から受け取った信号に対して、検波などの信号処理を実行する。
【００１６】
制御部８は、表示部１０に必要な情報を伝送したり、受信コイル４から受け取ったデータに基づいて画像を再構成するなど、ＭＲ装置１００の各種の動作を実現するように、ＭＲ装置１００の各部の動作を制御する。
【００１７】
操作部９は、オペレータにより操作され、種々の情報を制御部８に入力する。表示部１０は種々の情報を表示する。
ＭＲ装置１００は、上記のように構成されている。
【００１８】
図２は、撮影部位からデータを収集するために実行されるスキャンＳＣの説明図である。
スキャンＳＣでは、シーケンス部ＳＥ１〜ＳＥｍが実行される。シーケンス部ＳＥ１は、プリパレーションシーケンスＡとイメージングシーケンスＢとを有している。
【００１９】
プリパレーションシーケンスＡは、拡散強調を行うための勾配パルスＭＰＧを有している。プリパレーションシーケンスＡを実行した後に、イメージングシーケンスＢが実行される。
【００２０】
イメージングシーケンスＢは、撮影部位からＭＲ信号Ｓ１〜ＳＮを収集するためのシーケンスである。イメージングシーケンスＢはＲＦパルスｘ０およびＲＦパルスｘ１〜ｘＮを有している。ＲＦパルスｘ０は、ＭＲ信号を定常状態に移行させるためのＲＦパルスである。尚、ＲＦパルスｘ０の代わりに、ランプアップパルスを用いてＭＲ信号を定常状態に移行させてもよい。
【００２１】
ＲＦパルスｘ０を印加した後に、ＲＦパルスｘ１〜ｘＮが印加される。ＲＦパルスｘ１〜ｘＮのフリップ角α１〜αＮは次第に小さくなるように設定されている。ＲＦパルスｘ１〜ｘＮのフリップ角α１〜αＮが次第に小さくなるように設定されている理由については後述する。尚、説明の便宜上、イメージングシーケンスＢの勾配磁場は図示省略している。
【００２２】
図２には、シーケンス部ＳＥ１の構成が示されているが、他のシーケンス部ＳＥ２〜ＳＥｍも、シーケンス部ＳＥ１と同様に、プリパレーションシーケンスＡおよびイメージングシーケンスＢを有している。したがって、シーケンス部ＳＥ１〜ＳＥｍの各々を実行することにより、ＭＲ信号Ｓ１〜ＳＮを収集することができる。
【００２３】
図３は、シーケンス部ＳＥ１〜ＳＥｍにより収集されたＭＲ信号をｋ空間に埋めるときの様子を示す図である。
【００２４】
シーケンス部ＳＥ１で収集されるＭＲ信号Ｓ１〜ＳＮは、ｋｚ＝−ｊのｋ空間の領域に配置される。シーケンス部ＳＥ１は、セントリックビューオーダリング（ｋｘの中央のビューＶ０から始まり、ビューＶ０に近い順に正のビューと負のビューとを交互にデータ収集する方法）によって、ＭＲ信号Ｓ１〜ＳＮを収集する。シーケンス部ＳＥ１を実行した後、次のシーケンス部ＳＥ２が実行される。
【００２５】
シーケンス部ＳＥ２で収集されるＭＲ信号Ｓ１〜ＳＮは、ｋｚ＝−（ｊ−１）のｋ空間の領域に配置される。シーケンス部ＳＥ２も、セントリックビューオーダリングによって、ＭＲ信号Ｓ１〜ＳＮを収集する。
【００２６】
以下同様に、各シーケンス部が実行され、セントリックビューオーダリングによってＭＲ信号が収集される。そして、最後にシーケンス部ＳＥｍが実行される。
【００２７】
シーケンス部ＳＥｍを実行することによりｋｚ＝ｊのｋ空間の領域に配置されるＭＲ信号Ｓ１〜ＳＮが収集される。このようにして、ｋ空間のデータが収集される。
【００２８】
また、本形態では、イメージングシーケンスＢのＲＦパルスｘ１〜ｘＮのフリップ角α１〜αＮは、次第に小さくなるように設定されている（図４参照）。
【００２９】
図４は、ＲＦパルスｘ１〜ｘＮのフリップ角α１〜αＮの説明図である。
図４には、ＲＦパルスｘ１〜ｘＮのフリップ角α１〜αＮの大きさを表す曲線Ｆが示されている。フリップ角α１〜αＮは、次第に小さくなるように設定されている。具体的には、以下の式を満たすように設定されている。
αｎ−αｎ＋１＞αｎ＋１−αｎ＋２＞０  ・・・（１）
ただし、１≦ｎ≦Ｎ−２
ここで、  αｎ：ｎ番目のＲＦパルスのフリップ角
αｎ＋１：ｎ＋１番目のＲＦパルスのフリップ角
αｎ＋２：ｎ＋２番目のＲＦパルスのフリップ角
【００３０】
フリップ角は、αｎ＋１−αｎ＋２がαｎ−αｎ＋１よりも小さくなるように設定されている。したがって、ｎ＝１、即ち、イメージングシーケンスＢの開始直後のフリップ角の減少幅α１−α２は大きいが、ｎが大きくなるにつれて、フリップ角の減少幅αｎ−αｎ＋１は小さくなる。
【００３１】
本形態では、式（１）を満たすようにフリップ角α１〜αＮを減少させている。以下に、フリップ角α１〜αＮを減少させる理由について説明する。尚、この理由を説明にするにあたって、比較例として、フリップ角α１〜αＮを減少させずに同じ値にした例について考え、フリップ角α１〜αＮを同じ値にした場合の問題点について先に説明する。
【００３２】
図５は、フリップ角α１〜αＮを同じ値αにしたときのイメージングシーケンスＢを示す図である。
図５では、ＲＦパルスｘ１〜ｘＮのフリップ角α１〜αＮは同じ値αである。したがって、フリップ角α１〜αＮは以下の式で表すことができる。
αｎ＝αｎ＋１＝α・・・（２）
ただし、１≦ｎ＜Ｎ−１
【００３３】
図６は、フリップ角α１〜αＮを同じ値に設定した場合の問題点の説明図である。尚、説明の便宜上、撮影部位は拡散が大きく、撮影部位内の各組織のＴ１値は同じ値と見なせるとする。
【００３４】
ＲＦパルスｘ１〜ｘＮの下には、撮影部位のＴ１回復曲線ａと、ＭＲ信号Ｓ１〜ＳＮの信号強度の時間変化を表す信号強度曲線ｂが概略的に示されている。イメージングシーケンスＢの開始直後はＴ１回復速度は速いが、時間が進むにつれてＴ１回復速度は遅くなる。また、Ｔ１回復により、ＭＲ信号Ｓ１〜ＳＮの信号強度も、時間とともに増加する。このように、ＭＲ信号Ｓ１〜ＳＮの信号強度は時間とともに増加するので、ｋ空間の高周波領域には比較的大きいＭＲ信号が配置される。したがって、イメージングシーケンスＢにより収集したｋ空間のデータを画像に変換すると、撮影部位の輪郭が強調された画像が得られる。特に、撮影部位のＴ１値が小さいほどＴ１回復が速く進むので、輪郭が強調される現象は顕著に現れる。したがって、フリップ角α１〜αＮを同じ値αに設定する方法では、画質が劣化するという問題がある。
【００３５】
そこで、本形態では、上記のような画質劣化を低減するために、フリップ角α１〜αＮを次第に減少させている。以下に、フリップ角α１〜αＮを次第に減少させることにより、輪郭強調を軽減することができる理由について説明する。
【００３６】
図７は、輪郭強調を軽減できる理由の説明図である。
図７には、２つの信号強度曲線ｂおよびｃが示されている。信号強度曲線ｂは、フリップ角が同じ値αに設定された場合のＭＲ信号Ｓ１〜ＳＮの信号強度の時間変化を概略的に表している。一方、信号強度曲線ｃは、フリップ角α１〜αＮを次第に減少させた場合（本形態）のＭＲ信号Ｓ１〜ＳＮの時間変化を概略的に表している。
【００３７】
フリップ角が同じ値αの場合、ＭＲ信号Ｓ１〜ＳＮの信号強度は時間とともに増加する（信号強度曲線ｂ）。しかし、本形態では、フリップ角α１〜αＮを次第に減少させている。フリップ角α１〜αＮを次第に減少させることにより、ＭＲ信号Ｓ１〜ＳＮの信号強度の増加を抑制することができる（信号強度曲線ｃ）。したがって、本形態の方法によれば、ｋ空間の高周波領域に比較的小さいＭＲ信号を配置することができるので、撮影部位の輪郭強調を軽減することができる。
【００３８】
尚、本形態では、式（１）を満たすようにフリップ角の減少幅αｎ−αｎ＋１が設定されている。しかし、以下の式（３）が成り立つように、フリップ角の減少幅αｎ−αｎ＋１を設定することも考えられる。
αｎ−αｎ＋１＝αｎ＋１−αｎ＋２＞０  ・・・（３）
ただし、１≦ｎ≦Ｎ−２
【００３９】
図８は、式（３）を満たすようにフリップ角の減少幅αｎ−αｎ＋１を設定した場合のフリップ角α１〜αＮを示す図である。
【００４０】
図８では、曲線Ｆおよび直線Ｌが示されている。
図８に示す曲線Ｆは、図４に示す曲線Ｆ（式（１）を満たすようにフリップ角の減少幅αｎ−αｎ＋１を設定した場合のフリップ角α１〜αＮ）を示している。一方、直線Ｌは、式（３）を満たすようにフリップ角の減少幅αｎ−αｎ＋１を設定した場合のフリップ角α１〜αＮを示している。
【００４１】
式（３）が成り立つようにフリップ角の減少幅αｎ−αｎ＋１を設定した場合（直線Ｌ）、撮影部位の輪郭強調を十分に軽減することができないことがある。以下にこの理由について、図９を参照しながら説明する。
【００４２】
図９は、撮影部位の輪郭強調を十分に軽減することができない理由の説明図である。
図９には、図８に示す曲線Ｆおよび直線Ｌが示されている。また、曲線Ｆおよび直線Ｌの下には、イメージングシーケンスＢが実行されている間のＴ１回復曲線ａが示されている。
【００４３】
Ｔ１回復曲線ａで示されているように、イメージングシーケンスＢの開始直後はＴ１回復速度は速いが、時間が経過するにつれて、Ｔ１回復速度は遅くなる。したがって、式（３）を満たすようにフリップ角の減少幅αｎ−αｎ＋１を設定すると（直線Ｌ）、Ｔ１回復速度の速い遅いに拘らず、フリップ角の減少幅αｎ−αｎ＋１が同じになるので、高周波領域の信号強度を十分に低減させることができず、輪郭強調を十分に軽減できないことがある。
【００４４】
これに対し、本形態では、式（１）を満たすようにフリップ角の減少幅αｎ−αｎ＋１を設定しているので（曲線Ｆ）、Ｔ１回復速度が速いときにはフリップ角の減少幅αｎ−αｎ＋１を大きくし、Ｔ１回復速度が遅いときにはフリップ角の減少幅αｎ−αｎ＋１を小さくすることができる。したがって、Ｔ１回復速度の特性に合わせてフリップ角の減少幅が設定されているので、輪郭強調を十分に軽減することができる。
【００４５】
本形態では、式（１）を満たすようにフリップ角が設定されているが、式（１）を満たすフリップ角を計算する計算式としては、例えば、以下の式を用いることができる。
【数１】
2015008903.tif 000003
【００４６】
例えば、α１＝４５°、Ｎ＝４０とすると、式（４）は、以下の式（５）で表すことができる。
【数２】
2015008903.tif 000004
【００４７】
式（５）において、rd_factor＝１、rd_factor＝０．５、およびrd_factor＝０．１に設定した場合のフリップ角を図１０に示す。
【００４８】
尚、輪郭強調がどの程度軽減されるかは、rd_factorの値や撮影部位のＴ１値に依存する。このことを検証するため、２つのシミュレーションＥ１およびＥ２を行った。以下に、各シミュレーションについて説明する。
【００４９】
（１）シミュレーションＥ１について
シミュレーションＥ１のシミュレーション条件は、以下の通りである。
Ｔ１＝１５０ｍｓ
ＡＤＣ（Apparent Diffusion Coefficient）＝２．０＊１０−３ｍｍ２／ｓｅｃ
ｂ−ｖａｌｕｅ＝１０００ｓｅｃ／ｍｍ２
【００５０】
図１１はシミュレーションＥ１の結果を示す図である。
図１１（ａ）はrd_factor＝１の場合のシュミレーション結果、図１１（ｂ）はrd_factor＝０．５の場合のシュミレーション結果、図１１（ｃ）はrd_factor＝０．１の場合のシュミレーション結果を示す。
【００５１】
図１１（ａ）〜（ｃ）の上段には、イメージングシーケンスＢが実行されているときのＭＲ信号の信号強度の時間変化を表す信号強度曲線が示されており、下段には、ＭＲ信号を再構成することにより得られた画像信号を示す。
図１１（ａ）〜（ｃ）の画像信号を比較すると、rd_factorが小さくなるほど、輪郭強調が軽減されていることが分かる。
【００５２】
（２）シミュレーションＥ２について
シミュレーションＥ２では、シミュレーションＥ１よりもＴ１値を長く設定した。シミュレーションＥ２の具体的なシミュレーション条件は、以下の通りである。
Ｔ１＝９２０ｍｓ
ＡＤＣ＝０．８７＊１０−３ｍｍ２／ｓｅｃ
ｂ−ｖａｌｕｅ＝１０００ｓｅｃ／ｍｍ２
【００５３】
図１２はシミュレーションＥ２の結果を示す図である。
図１２（ａ）はrd_factor＝１の場合のシュミレーション結果、図１２（ｂ）はrd_factor＝０．５の場合のシュミレーション結果、図１２（ｃ）はrd_factor＝０．１の場合のシュミレーション結果を示す。
図１２（ａ）〜（ｃ）には、ＭＲ信号を再構成することにより得られた画像信号を示す。
【００５４】
図１２（ａ）〜（ｃ）の画像信号を比較すると、rd_factor＝０．５の場合は、輪郭強調が軽減されていることが分かる。しかし、rd_factor＝０．１の場合、画像信号のエッジが湾曲しているので、画像の輪郭にぼけが生じることがわかる。
【００５５】
したがって、シミュレーションＥ１およびＥ２の結果を比較すると、Ｔ１値が小さい場合は、rd_factorを小さくすることが望ましいが、Ｔ１値が大きい場合は、rd_factorはあまり小さくしすぎないようにすることが望ましいと考えられる。
【００５６】
また、上記のように、Ｔ１値によって、輪郭強調を軽減するのに最適なrd_factorの値は異なるので、被検体をスキャンする場合は、撮影部位のＴ１値に応じて、オペレータが最適なrd_factorを選択することができるようにすることが望ましい。
【００５７】
図１３は、オペレータが最適なrd_factorを選択するのに適したＭＲ装置の一例を示す図である。
図１３のＭＲ装置２００の制御部８は、ルックアップテーブル８１を有している。ルックアップテーブル８１は、rd_factorの値とＴ１値との対応関係を規定している。また、制御部８は、設定手段８２および算出手段８３を有している。図１３のＭＲ装置２００では、操作部９は、オペレータの操作に応じて撮影部位のＴ１値を入力する。操作部９によりＴ１値が入力されると、設定手段８２は、ルックアップテーブル８１の中から、入力されたＴ１値に対応したrd_factorの値を特定し、特定したrd_factorの値を式（４）のrd_factorの値として設定する。算出手段８３は、設定手段８２により設定されたrd_factorの値を式（４）に代入し、イメージングシーケンスＢのＲＦパルスのフリップ角α１〜αＮを算出する。したがって、イメージングシーケンスＢのＲＦパルスのフリップ角α１〜αＮを、撮影部位のＴ１値に適した値に設定することができる。尚、Ｔ１値を入力する代わりに、rd_factorの値を直接入力するようにしてもよい。
【００５８】
尚、本形態では、フリップ角α１〜αＮが式（１）を満たすように、フリップ角の減少幅αｎ−αｎ＋１が設定されている。しかし、輪郭強調を軽減することができるのであれば、必ずしも、全てのフリップ角α１〜αＮが式（１）を満たす必要はなく、一部のフリップ角は式（１）を満たさなくてもよい。図１４に、一部のフリップ角が式（１）を満たさない場合の一例を示す。図１４では、フリップ角α１〜αＮ−３は式（１）を満たすように設定されているが、残りのフリップ角αＮ−２、αＮ−１、およびαＮについては、αＮ−２＝αＮ−１＝αＮを満たすように設定されている。図１４では、一部のフリップ角は式（１）を満たしていないが、輪郭強調を軽減できるのであれば、必ずしも全てのフリップ角α１〜αＮが式（１）を満たす必要はない。
【符号の説明】
【００５９】
２  マグネット
３  テーブル
３ａ  クレードル
４  受信コイル
５  送信器
６  勾配磁場電源
７  受信器
８  制御部
９  操作部
１０  表示部
１１  被検体
２１  ボア
８１  ルックアップテーブル
８２  設定手段
８３  算出手段
１００、２００  ＭＲ装置
【図１】
2015008903.tif 000006
【図２】
2015008903.tif 000007
【図３】
2015008903.tif 000008
【図４】
2015008903.tif 000009
【図５】
2015008903.tif 000010
【図６】
2015008903.tif 000011
【図７】
2015008903.tif 000012
【図８】
2015008903.tif 000013
【図９】
2015008903.tif 000014
【図１０】
2015008903.tif 000015
【図１１】
2015008903.tif 000016
【図１２】
2015008903.tif 000017
【図１３】
2015008903.tif 000018
【図１４】
2015008903.tif 000019